【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
多層体の製造方法において、
ａ）少なくとも１つの光源、特に、ＬＥＤが配置されたキャリアプライを設ける工程と、
ｂ）装飾プライを設ける工程と、
ｃ）射出成形工具により前記キャリアプライおよび／または前記装飾プライにプラスチックプライを射出成形する工程と、を備えることを特徴とする多層体の製造方法。
【請求項２】
前記装飾プライは、前記キャリアプライに塗布され、
好ましくは、前記装飾プライは、前記キャリアプライにおいて前記少なくとも１つの光源に面する側と反対側に塗布され、または、前記キャリアプライにおいて前記少なくとも１つの光源に対向する側に、特に、前記光源と前記キャリアプライとの間に塗布され、および／または、
好ましくは、前記装飾プライおよび前記キャリアプライは、前記射出成形工具の１つの金型部分に、特に、機械的な締め付け手段および／または真空により固定されており、一方の側にバックインジェクション成形されることを特徴とする請求項１に記載の方法。
【請求項３】
前記プラスチックプライは、前記キャリアプライにおいて前記少なくとも１つの光源に面する側と反対側と、前記装飾プライとの間、または、前記キャリアプライにおいて前記少なくとも１つの光源に対向する側と、前記装飾プライとの間に射出成形され、
特に、機械的な締め付け手段および／または真空により、好ましくは、前記装飾プライは、前記射出成形工具の第１の金型部分に、前記キャリアプライは、前記射出成形工具の第２の金型部分に固定されることを特徴とする請求項１に記載の方法。
【請求項４】
前記キャリアプライは、特に、ＦＲ４、ポリイミド、または、紙からなる回路基板として設けられ、前記回路基板の厚さは、５０μｍ〜２ｍｍ、好ましくは、１００μｍ〜１．５ｍｍであることを特徴とする請求項１〜３のいずれか１項に記載の方法。
【請求項５】
前記光源として、ＳＭＤ−ＬＥＤおよび／またはチップＬＥＤが使用され、前記ＳＭＤ−ＬＥＤは、長さが４００μｍ〜２０ｍｍ、好ましくは、０．６ｍｍ〜２ｍｍ、幅が２００μｍ〜５ｍｍ、好ましくは、０．３ｍｍ〜１．２５ｍｍ、高さが２００μｍ〜５ｍｍ、好ましくは、０．２ｍｍ〜１．５ｍｍであり、前記チップＬＥＤは、長さが１００μｍ〜２ｍｍ、好ましくは、０．２ｍｍ〜０．５ｍｍ、幅が１００μｍ〜２ｍｍ、好ましくは、０．２ｍｍ〜０．５ｍｍ、高さが５０μｍ〜２５０μｍ、好ましくは、７５μｍ〜１２５μｍであることを特徴とする請求項１〜４のいずれか１項に記載の方法。
【請求項６】
少なくとも１つの光学補助層、特に、反射層または吸収層が前記装飾プライおよび／または前記キャリアアプライおよび／または前記射出成形プラスチックプライに塗布され、
好ましくは、前記少なくとも１つの光学補助層は、金属、特に、アルミニウム、銀、クロム、銅、金、または、これらの合金の蒸着またはスパッタリングにより製造され、前記光学補助層の厚さは、１ｎｍ〜５００ｎｍ、好ましくは、５ｎｍ〜１００ｎｍ、または、前記少なくとも１つの光学補助層は、金属顔料含有ニスの印刷により製造され、前記光学補助層の厚さは、０．１μｍ〜５０μｍ、好ましくは、１μｍ〜２０μｍであり、および／または、
好ましくは、前記少なくとも１つの光学補助層は、特に、カーボンブラック顔料を備える顔料ニスを塗布することにより製造され、前記少なくとも１つの光学補助層の厚さは、０．１μｍ〜５０μｍ、好ましくは、１μｍ〜２０μｍであることを特徴する請求項１〜５のいずれか１項に記載の方法。
【請求項７】
前記装飾プライは、少なくとも１つの第１領域および少なくとも１つの第２領域を備え、前記第１領域は、前記少なくとも１つの光源から出射した光のスペクトルに対して少なくとも部分的に透明であり、前記第２領域は、前記少なくとも１つの光源から出射した光のスペクトルに対して非透明であり、
好ましくは、前記少なくとも１つの光源が前記装飾プライの面に直交する方向で見て前記少なくとも１つの第１領域と重なるように、前記装飾プライが配置され、および／または、
好ましくは、前記少なくとも１つの光源が前記装飾プライの面に直交する方向で見て前記少なくとも１つの第２領域と重なるように、前記装飾プライが配置されていることを特徴とする請求項１〜６のいずれか１項に記載の方法。
【請求項８】
着色剤、特に、染料および／または顔料および／または粒子および／または量子ドット材料が前記プラスチックプライの前記射出成形に使用される前記プラスチック材料、および／または、前記キャリアプライの層を形成する材料に加えられ、前記着色剤は、前記少なくとも１つの光源から出射した光を吸収および／若しくは散乱させ、並びに／または、可視波長範囲で蛍光若しくはリン光に励起され、
特に、前記着色剤は、特に、二酸化ケイ素、発熱ケイ酸、二酸化チタン、硫化亜鉛、または、金属からなる有機顔料および／若しくは粒子を備え、前記着色剤の粒子の大きさは、５ｎｍ〜５００μｍ、好ましくは、５００ｎｍ〜１００μｍであることを特徴とする請求項１〜７のいずれか１項に記載の方法。
【請求項９】
前記少なくとも１つの光源から出射した光のスペクトルに対する透明度および／または色が異なる複数の領域を備える装飾プライが設けられ、および／または、
前記少なくとも１つの光源から出射した光のスペクトルに対して非透明である部分層、特に、光学情報を備える金属層が前記装飾プライに塗布されることを特徴とする請求項１〜８のいずれか１項に記載の方法。
【請求項１０】
特に、複製および／または前記射出成形工具に配置されたマトリックスの成形により、光学活性レリーフ構造、特に、回折構造、０次回折構造、マクロ構造、レンズ構造、マイクロレンズ構造、マイクロプリズム構造が前記装飾プライおよび／または前記キャリアプライおよび／または前記プラスチックプライに取り込まれ、および／または、
前記プラスチックプライの前記射出成形中に、１つの光学特性、特に、屈折率が異なる少なくとも２つのプラスチック複合物を使用することを特徴とする請求項１〜９のいずれか１項に記載の方法。
【請求項１１】
前記少なくとも１つの光源に接触するために、導電トラック層が前記キャリアプライに塗布され、
好ましくは、金属、特に、アルミニウム、銀、クロム、銅、金、または、これらの合金の蒸着、スパッタリング、ガルバニック堆積、または、積層により、および／または、導電顔料、ナノ粒子、ＩＴＯ、ＡＴＯ、導電有機ポリマー、特に、ＰＥＤＯＴ若しくはＰＡＮＩ、カーボンナノチューブ、グラフェン、または、カーボンブラックを塗布することにより、前記電トラック層が製造され、前記導電トラック層の厚さは、１ｎｍ〜５００μｍ、好ましくは、１０ｎｍ〜５０μｍであり、および／または、
好ましくは、前記導電トラック層は、少なくとも１つの結合面を備え、補助結合面は、前記キャリアプライに直交する方向で見て前記キャリアプライにおいて前記少なくとも１つの光源と面する側と反対側に設けられ、および／または、
好ましくは、前記導電トラック層は、少なくとも１つの巻線および／またはアンテナ構造を備え、補助巻線および／またはアンテナ構造は、前記キャリアプライに直交する方向で見て前記キャリアプライにおいて前記少なくとも１つの光源と面する側と反対側に設けられ、および／または、
好ましくは、少なくとも１つの電気接触エレメントが前記キャリアプライに取り付けられ、前記少なくとも１つの電気接触エレメントは、前記導電トラック層に電気的に接触し、前記プラスチックプライの射出成形中に、大部分が前記プラスチック複合体により囲まれ、および／または、
好ましくは、前記プラスチックプライの前記射出成形中に、前記導電トラック層の少なくとも１つの部分領域が前記プラスチック複合体により囲まれていない、および／または、前記プラスチックプライの前記射出成形の後に、前記導電トラック層の少なくとも１つの部分領域が配置された前記キャリアプライの部分領域が前記プラスチックプライから分離することを特徴とする請求項１〜１０のいずれか１項に記載の方法。
【請求項１２】
特に、請求項１〜１１のいずれか１項に記載の方法により製造された多層体であって、
少なくとも１つの光源、特に、ＬＥＤが配置されたキャリアプライと、
装飾プライと、
特に、ＰＭＭＡ、ＡＢＳ、ＰＳ、ＰＥ、ＰＰ、ＰＣ、ＰＯＭ、ＰＡ、ＡＳＡ、ＳＡＮ、または、ＴＰＵからなる射出成形プラスチックプライと、を備え、
好ましくは、前記装飾プライは、前記キャリアプライにおいて前記少なくとも１つの光源に面する側と反対側に、または、前記キャリアプライにおいて前記少なくとも１つの光源に対向する側に配置され、または、
好ましくは、前記プラスチックプライは、前記キャリアプライにおいて前記少なくとも１つの光源に面する側と反対側に、または、前記キャリアプライにおいて記少なくとも１つの光源に対向する側と前記装飾プライとの間に配置されていることを特徴とする多層体。
【請求項１３】
少なくとも１つの光学補助層、特に、反射層、または、吸収層が前記装飾プライおよび／または前記キャリアプライおよび／または前記射出成形プラスチックプライに配置され、前記反射層は、金属、特に、アルミニウム、銀、クロム、銅、金、または、これらの合金からなり、前記反射層の厚さは、１ｎｍ〜５００ｎｍ、好ましくは、５ｎｍ〜１００ｎｍであり、前記吸収層は、特に、カーボンブラック顔料を備える顔料ニスからなり、前記吸収層の厚さは、０．１μｍ〜５０μｍであり、好ましくは、１μｍ〜２０μｍであることを特徴とする請求項１２に記載の多層体。
【請求項１４】
前記装飾プライは、少なくとも１つの第１領域および少なくとも１つの第２領域を備え、前記少なくとも１つの第１領域は、前記少なくとも１つの光源から出射した光のスペクトルに対して少なくとも部分的に透明であり、前記少なくとも１つの第２領域は、前記少なくとも１つの光源から出射した光のスペクトルに対して非透明であり、前記少なくとも１つの光源が前記装飾プライの面に直交する方向で見て前記少なくとも１つの第１領域および／または前記少なくとも１つの第２領域と重なるように、前記装飾プライが配置され、および／または、
前記装飾プライは、前記少なくとも１つの光源から出射した光のスペクトルに対する透明度および／または色が異なる複数の領域を備え、および／または、
前記装飾プライおよび／または前記キャリアプライおよび／または前記プラスチックプライは、回折格子構造を備えることを特徴とする請求項１２または１３に記載の多層体。
【請求項１５】
前記キャリアプライは、前記少なくとも１つの光源に接触する導電トラック層を備え、前記導電トラック層は、特に、金属、特に、アルミニウム、銀、クロム、銅、金、若しくは、これらの合金、および／または、導電顔料、ナノ粒子、ＩＴＯ、ＡＴＯ、導電有機ポリマー、特に、ＰＥＤＯＴ若しくはＰＡＮＩ、カーボンナノチューブ、グラフェン若しくはカーボンブラックにより形成され、前記導電トラック層の厚さは、１ｎｍ〜５００μｍ、好ましくは、１０ｎｍ〜５０μｍであり、
好ましくは、前記導電トラック層は、少なくとも１つの電気接触エレメント、特に、結合面および／または巻線構造および／またはアンテナ構造を備え、前記少なくとも１つの電気接触エレメントは、前記キャリアプライにおいて前記少なくとも１つの光源に面する側と反対側の補助結合面および／または巻線構造および／またはアンテナ構造に重なるように配置され、および／または、
好ましくは、前記キャリアプライは、少なくとも１つの電気接触エレメント、特に、前記キャリアプライを介したスルーコネクションおよび／若しくは圧着エレメント、並びに／または、前記導電トラック層の部分領域を備え、前記少なくとも１つの電気接触エレメントは、前記導電トラック層に電気的に接触し、前記多層体の外側から電気的に接触し、前記導電トラック層の前記部分領域は、前記プラスチックプライに覆われていない、または、前記プラスチックプライが可逆的に分離されていることを特徴とする請求項１２〜１４のいずれか１項に記載の多層体。
【手続補正２】
【補正対象書類名】明細書
【補正対象項目名】００６３
【補正方法】変更
【補正の内容】
【００６３】
これにより、光の所定の出射形状が創造される。これは、特に、平坦に塗布された装飾プライに有益である。このため、少なくとも１つの光源が光を発する場合のみ所望の光学情報が視認可能になる。
【手続補正３】
【補正対象書類名】明細書
【補正対象項目名】００８９
【補正方法】変更
【補正の内容】
【００８９】
反射層または吸収層により補助層３、３’を構成しても良い。補助層３、３’により、各光源６は、それぞれに対応して配置された開口４１を介してのみ視認可能である。その結果、光の散乱が防止される。横方向の散乱光が開口内において反射層で反射することにより、開口４１内での光源６の光の出力が増加する。
【手続補正４】
【補正対象書類名】明細書
【補正対象項目名】０１０２
【補正方法】変更
【補正の内容】
【０１０２】
図２に係る実施例では、装飾プライ４および光学補助層３は、プラスチックプライ７の第１の側に配置され、導電トラック層５および光源６を備えるキャリアプライ２は、プラスチックプライ７の第１の側と反対側である第２の側に配置される。光源６は、プラスチックプライ７から離れて配置され、ここでは、開口４１に重ならない。その結果、光源は、間接的なバックライト光源となる。
【手続補正５】
【補正対象書類名】明細書
【補正対象項目名】０１２９
【補正方法】変更
【補正の内容】
【０１２９】
この例では、導電トラック層５が直接接触していない場合でも、誘導結合により、交流が導電トラック層５で得られる。適切な部品を用いて整流を行っても良い。アンテナ１１、５２の大きさおよび形に応じて、共振周波数および範囲を設定しても良い。信号の変調により、情報および制御コマンドをキャリアプライ２に一体化された電子機器に送信する。外部アンテナ５２をキャリアプライ２に直接取り付けても良い、または、多層体１の完成後に取り付けても良い。
【手続補正６】
【補正対象書類名】明細書
【補正対象項目名】０１３０
【補正方法】変更
【補正の内容】
【０１３０】
更に、プラスチックプライ７の射出成形の間に、プラスチックで完全に囲まずに導電トラック層５を直接接触させても良い。図２０に示すように、プラスチックプライ７に開口７５を形成しても良い、または、プラスチックプライ７をキャリアプライ２の端部まで塗布しなくても良い。その結果、キャリアプライ２の突出タブ２２が形成される。導電トラック層５は突出タブ２２に接触する（図２１参照）。